(57)【特許請求の範囲】
【請求項１】
少なくとも部分的に体を気密な方式で包むスリーブ（１ａ）と、該スリーブ（１ａ）が体の表面からある距離離れて置かれるようにするための少なくとも一つのスペーサー（１０、１１）とを含む、体型を整えるための衣服型健康器具（１）であって、上記スリーブ（１ａ）は、体の表面の少なくともある部分と共に上記健康器具（１）の周囲よりも低い空気圧にされる多数の低圧チャンバー（５）を形成し、上記スペーサーは、上記健康器具（１）の周囲よりも高い空気圧にされる多数の高圧チャンバー（１２）によって形成されることを特徴とする健康器具。
【請求項２】
低圧にされた部分が、腹部及び／又は臀部及び／又は腰及び／又はももであることを特徴とする請求項１に記載の健康器具。
【請求項３】
各高圧チャンバー（１２）が、少なくとも断面方向に通気性のスペーサースリーブ（１２ａ）により囲まれており、それにより、減圧下、前記スペーサースリーブの空気が、高圧チャンバー（１２）から低圧チャンバー（５）の一つ及び／又は大気に放出されることができる請求項１または２に記載の健康器具。
【請求項４】
各高圧チャンバー（１２）が、スロットルバルブを有して形成されており、それにより、減圧下、空気を高圧チャンバー（１２）から低圧チャンバー（５）及び／又は大気中に放出することができることを特徴とする請求項１乃至３いずれか１項記載の健康器具。
【請求項５】
スペーサー（１０、１１）が、少なくとも断面方向に固体で作られていることを特徴とする請求項１乃至４いずれか１項記載の健康器具。
【請求項６】
スペーサー（１０、１１）が、低圧チャンバーのスリーブ（１ａ）と体の表面との間に配置されていることを特徴とする請求項１乃至５いずれか１項記載の健康器具。
【請求項７】
スペーサー（１０、１１）が、少なくとも断面方向にベルトのような方式で形成されていることを特徴とする請求項１乃至６いずれか１項記載の健康器具。
【請求項８】
スペーサー（１０、１１）が、少なくとも断面方向にケージのような方式で形成されていることを特徴とする請求項１乃至７いずれか１項記載の健康器具。
【請求項９】
健康器具（１）が、減圧入力を持つポンプ装置（１５）を備え、該減圧入力が、低圧チャンバー（５）に接続していることを特徴とする請求項１乃至８いずれか１項記載の健康器具。
【請求項１０】
健康器具（１）が、加圧出力を持つポンプ装置（１５）を備え、該加圧出力（１５ｂ）が、高圧チャンバー（１２）に接続していることを特徴とする請求項１乃至９いずれか１項記載の健康器具。
【請求項１１】
ポンプ手段（１５）が、健康器具（１）を着ける人の体に着けられるような方式で設計されていることを特徴とする請求項１乃至１０いずれか１項記載の健康器具。
【請求項１２】
高圧チャンバー（１２）が、高圧安全バルブ（１７）を備え、それにより許容最大圧を超えた場合に空気を高圧チャンバー（１２）から放出できることを特徴とする請求項１乃至１１いずれか１項記載の健康器具。
【請求項１３】
低圧チャンバー（５）が、低圧安全バルブ（１８）を備え、それにより圧力が許容最小値以下に低下した場合に空気を低圧チャンバー（５）に導入することができることを特徴とする請求項１乃至１２いずれか１項記載の健康器具。
【請求項１４】
健康器具（１）が、体の表面と密閉状態で係合し、低圧チャンバー（５）を実質的に完全に囲む密閉部分（６）を有することを特徴とする請求項１乃至１３いずれか１項記載の健康器具。
【請求項１５】
健康器具（１）が、個々の体の部分を目的の体型にするために実質的に帯のような方式で形成されていることを特徴とする請求項１乃至１４いずれか１項記載の健康器具。
【請求項１６】
健康器具（１）が、実質的にスーツのように形成されていることを特徴とする請求項１乃至１５いずれか１項記載の健康器具。
【請求項１７】
健康器具（１）の多数の低圧チャンバー（５）が、個々の体の部分に繋げられていることを特徴とする請求項１乃至１６いずれか１項記載の健康器具。
【請求項１８】
圧力制御手段が備えられ、それにより、低圧チャンバー（５）内の低圧を許容値に制御することができることを特徴とする請求項１乃至１７いずれか１項記載の健康器具。
【発明の詳細な説明】
【０００１】
【発明の属する技術分野】
本発明は、体型を整えるための衣服型健康器具に関し、この健康器具は、少なくとも部分的に体を気密な方式で包むスリーブと、該スリーブが体の表面からある距離離れて置かれるように配置された少なくとも一つのスペーサーとを含むものである。
【０００２】
【従来の技術】
この種の健康器具には、例えば、気密状態で体を包むスウェットスーツがある。スウェットスーツの健康効果は、体から発散した熱と湿気が気密のスリーブで大気中に放散されないという事実に基づいている。その結果、温度と空気湿度がスーツの内面で上昇し、スーツ内で“サウナ効果”が発生する。従って体の新陳代謝がサウナ効果により上昇し、脂肪の燃焼が加速される。
【０００３】
スウェットスーツは、通常非常に自由な動きができるように設計されているので、例えば、それを着てジョギングやサイクリングをすることができる。肉体的運動とスウェットスーツの組み合わせによって特に高い循環系の効率や特に高い新陳代謝が得られる。従って、スウェットスーツを着ないでトレーニングを行う場合に比べて運動効果が高められる。
【０００４】
しかしながら、従来のスウェットスーツの不都合な点は、基本的に循環系疲労を増加させるだけでなく、“問題のゾーン”、例えば、腹部、腰、臀部、又はももの脂肪を目的どおりに減少できないことである。その上、スウェットスーツの効果は、非常に制限される。体型を維持するためには、スウェットスーツは、長時間に亘って規則的に使用しなければならない。関係する従来技術としては、米国特許第４２３０１１４号明細書、米国特許第１４４０１５７号明細書、米国特許第７２６７９１号明細書がある。
【０００５】
【発明が解決しようとする課題】
これらの不都合な点を考慮して、本発明の目的は、脂肪の燃焼がより速く起り、問題のゾーンが望みどおりに処理されることができるように上述の型の健康器具を改良することである。
【０００６】
【課題を解決するための手段】
この問題は、上述の型の健康器具に対して、スリーブが、体の表面の少なくともある部分と共に健康器具の周囲よりも低い圧力にされる多数の低圧チャンバーを形成し、スペーサーが、健康器具の周囲よりも高い圧力にされる、多数の高圧チャンバーを形成することにより解決された。
【０００７】
低圧チャンバーのエリアにある体の表面に作用する低圧により、血液循環が増加する。この血液循環の刺激によって、このエリアの脂肪の燃焼が増加する。その上、もしこの器具と共に、例えば、ジョギングやサイクリングのような運動を行うと、サウナ効果と真空効果が低圧チャンバーのエリアに加重される。トレーニングと低圧の組み合わせにより、特に低圧チャンバーの場所の脂肪を目的どおりに減らすことができる。
【０００８】
血液循環は、従来のスウェットスーツにおける場合より低圧によって大部分は刺激を受ける。本発明の、型を整えるための器具及び脂肪の燃焼の効率は、それゆえ、従来のスウェットスーツにおけるより非常に高い。
【０００９】
低圧チャンバーのエリアでは、スリーブが低圧によって体の表面に接するという危険がある。これは、着心地が減少し、あるいは低圧効果が減少する。これを避けるために、この健康器具はスペーサーを含み、それにより該器具のスリーブが体の表面から一定の距離を置いて保持されている。
【００１０】
スペーサーは、健康器具の周囲よりも高い圧力にされる多数の高圧チャンバーを形成する。スペーサーが体の線に適応できるので高圧チャンバーによって、高い着心地感が得られる。
【００１１】
特に有利な態様では、低圧にされる部分が、腹部及び／又は臀部及び／又は腰及び／又はももからなる。このような体の部分は、従来の問題のゾーンを示し、遺伝的な前提条件や運動不足により簡単に脂肪が蓄積される。
【００１２】
高圧チャンバーと低圧チャンバーへの別々の供給を避けるために、それにより供給圧力に対する構造上の作用力が増加するのを避けるために、各高圧チャンバーは、少なくとも断面方向に通気性スペーサースリーブにより包まれることができ、それにより空気を高圧チャンバーから低圧チャンバー及び／又は大気中に減圧下で放出することができる。加えて、あるいは別の態様として、各高圧チャンバーはスロットルバルブ付きで形成されていてもよく、それにより空気を高圧チャンバーから減圧下で低圧チャンバー及び／又は大気中に放出することができる。これらの二つの態様で、まず加圧下で高圧チャンバーに空気を供給することができ、それが行われてから、減圧下で低圧チャンバーに供給される。次に、空気は低圧チャンバーから引き出される。通気性スペーサースリーブ及び／又はスロットルバルブによる減圧には、高圧チャンバーと低圧チャンバー間の圧力差の維持が要求される。この態様の利点は、高圧チャンバーからの放出空気は低圧チャンバーに供給されるので、高圧チャンバーからの空気の放出及び高圧チャンバーへの空気の供給のための特別な設計は必ずしも必要なく、または全く必要がないという点に見られる。
【００１３】
更に有利な態様では、スペーサーを少なくとも断面方向に固体材料から作ることができる。この関係では固体材料は、その本来の強さにより体の表面から離れてスリーブを保つことができる材料である。健康器具が肉体的運動用に使用されるとき、自由な動きを適度に確保するため、固体材料は、また弾力性を有していてもよい。対応したデザインや材料の選択で弾力性を得ることができる。
【００１４】
更に有利な態様では、スペーサーを低圧チャンバーのスリーブと体の表面との間に配置することができる。別の態様として、スペーサーをスリーブのなかに縫い込んでも良いし、フレームの形に形成しても良い。スペーサーをベルトあるいは自己搬送型ケージのような別の態様にすることもできる。
【００１５】
更に有利な態様では、健康器具は、減圧入力を有するポンプ手段を備えている。減圧入力は低圧チャンバーに接続されている。ポンプ手段により、低圧チャンバー内は低圧にされる。ポンプ手段は、それを身に付けることができるようにより有利な態様に設計されていてもよい。即ち、可能な限り、低重量で人間工学的に好ましい形をしていることである。従って、この健康器具を着けた人は、ポンプ手段とは無関係に動くことができる。ポンプ手段のエネルギー源は、目的により、体の上のポンプと共に着けることができ、あるいはポンプ内に組み込むことができる。
【００１６】
更に有利な態様では、健康器具は、高圧チャンバーに接続した加圧出力を有するポンプ手段を備えていても良い。ここで、ポンプ手段は、スペーサーの高圧チャンバーに配置される高圧力を発生させるために機能する。
【００１７】
また、ポンプ出力は高圧チャンバーに、ポンプ入力は低圧チャンバーに、同時に接続することが可能である。高圧チャンバーを低圧チャンバーに接続しても良く、これにより、閉じた又は殆ど閉じた空気循環が得られる。
【００１８】
健康器具への損傷を避け、肉体的に有害な低圧を保護するために、更に有利な態様の低圧チャンバーは、低圧安全バルブを備えていてもよく、それによって圧力が許容最低圧力以下に低下したとき、空気を低圧チャンバーに導入することができる。この態様では、圧力が人体あるいは器具にとって有害な値に低下すると、低圧安全バルブが自動的に開放する。
【００１９】
従って、高圧チャンバーは高圧安全バルブを備えていても良く、それによって圧力が許容最大圧力を超えたときに、空気を高圧チャンバーから放出することができる。高圧安全バルブは、最大圧を超えたときに該バルブが自動的に開くことで、万が一高すぎる圧力が生じた場合の高圧チャンバーの破裂、あるいは高圧チャンバー、又はスペーサーの急激な上昇によって生じる体の傷を防止する。
【００２０】
健康器具は、体の表面と密閉状態に係合し、低圧チャンバーを基本的に完全に囲むシール部分を有していることが好ましい。このようなシール部分は、漏れを防ぎ、及び低圧チャンバー内への空気の流入を防止する。それによって、ポンプエネルギーはより効率良く利用され、例えば、エネルギー源として、バッテリー、又は二次電池を利用すると、ポンプの耐用年数は非常に延びる。
【００２１】
健康器具は、体の部分を目的の形に整えるために帯のような方式に形成することができる。この態様では、例えば、目的の方法でももの形を整えるために、一方のももに健康器具をつけることができる。別の態様では、また腰、腹部、及び臀部エリアの血液の循環が高められるように腰の回りのみに着けるように設計することができる。健康器具はこの態様では非常にコンパクトで特にユーザーの要求に合っている。
【００２２】
別の態様として、健康器具は、またスーツのような方式に形成でき、しかも低圧チャンバーが形成されないエリアではスウェットスーツとしての役割をすることができる。
【００２３】
低圧チャンバーの損傷により、健康器具が全て故障してしまうのを避けるために、そして異なった体の部分を独立に低圧にできるように、別の態様である多数の低圧チャンバーが個々の体の部分に当てられてもよい。この態様では、例えば、臀部に当てた低圧とは異なった低圧をももにかけることが可能である。このことは、例えば、違った体の部分が異なった皮膚感覚を持っている場合に有利である。
【００２４】
更なる有利な態様では、圧力制御手段が設けられ、これにより低圧チャンバーの低圧をある値に制御することができる。この値は、例えば、ユーザー自身で調整することができる。例えば、健康器具が海水面や別の時間に山のリゾートで操作されるときには低圧の調整が必要になる。両方の場所の異なった空気圧では、低圧チャンバー内で異なった大きな低圧が必要になる。
【００２５】
【発明の実施の形態】
図１は、健康器具１を示し、ダイバースーツに似た、体全体、腕、及び足を包むスーツ型で設計されている。スーツは、空気不透過性スリーブ１ａから作られており、襟の端部、両袖、及び両足首の上にシール２、３、及び４が設けられている。
【００２６】
健康器具の体に面した内側表面は、使用者が着ている時には高い着心地が確保できるように、皮膚のように柔らかい層（図示なし）を有している。
【００２７】
図１の態様では、健康器具は、臀部、腰、腹部、及びももに亘って伸びる低圧チャンバー５が設けられている。別の態様として、分離した低圧チャンバー５がそれらの部分に対して各々設けられていてもよい。
【００２８】
低圧チャンバー５は、シール６で取り囲まれ、該低圧チャンバー５内への加圧された周囲の空気の流入を防いでいる。
【００２９】
健康器具のスリーブ１ａは、低圧チャンバー５のエリア内のスペーサー１０、１１によって体の表面から一定の間隔を置いて支えられている。腰のエリアのスペーサー１０は、ベルトのような方式で設計されており、高圧チャンバー１２を備えており、その内部は健康器具１の周囲の圧力より高い圧力に置かれている。圧力の差により高圧チャンバー１２のスリーブ１２ａが膨張する。
【００３０】
さらに二つのスペーサー１１はひざの上にも形成されており、スペーサー１１もまた高圧チャンバー１２を備えている。
【００３１】
高圧チャンバー１２は加圧端子１３を備えており、これにはポンプの出力側から加圧ホースが接続している。低圧チャンバー５は減圧端子１４を備えており、これにはポンプ１５の吸引又は入力側が接続している。
【００３２】
図１の態様においては、加圧端子１３と減圧端子１４の両方がポンプ１５に接続している。ポンプ１５の吸引側１５ａは低圧チャンバー５内に低圧を発生させ、ポンプ１５の供給側１５ｂはスペーサー１０の高圧チャンバー１２に空気を注入する。
【００３３】
別の態様として、低圧チャンバー５と高圧チャンバー１２はまた各々別のポンプにより操作されていても良い。腰にあるスペーサー１０の高圧チャンバー１２は、接続線１６を介して両足にあるスペーサー１１の高圧チャンバー１２に接続している。この線を介して空気が供給される。
【００３４】
各高圧チャンバー１２は、高圧チャンバー内の許容最大圧力を超えると開く高圧安全バルブ１７を備えており、それゆえ高圧チャンバーの破裂を防ぐことができる。低圧チャンバー５はまた低圧安全バルブを備え、圧力がある値以下に低下した場合には自動的に開いて空気が低圧チャンバー内に流入することができる。この方式で、低圧チャンバー５内が低圧すぎることより生じる健康上の欠点及び健康装置の損傷を防ぐことができる。
【００３５】
高圧チャンバー１２は、また放出部１９を備えており、それにより空気が高圧チャンバー１２から低圧チャンバー５内に流入する。放出部１９は、圧力ヘッドが高圧チャンバー１２と低圧チャンバー５との間に設定されるように重要な流れ抵抗を有している。放出部１９のサイズは、ポンプ１５の容量によって吸い出される量と同様な、少なくとも高圧チャンバー１２の流出部１９を通して低圧チャンバー５に空気が流入する量になるような、より少ない空気となる大きさである。この大きさの規則に従う場合のみ、高圧チャンバー１２内の高圧に対して永久に低圧チャンバー５内の真空を設定し、維持することができる。別の態様として、空気はまた放出部１９を介して大気に放出することもできる。
【００３６】
本発明の第２の態様を図２で説明する。
図２の態様では、加圧により膨張させることができるスペーサー１０の代わりに、固体プラスチック材料で作られたケージ様のスペーサー２０が使用されている。ケージ様構造は、ケージが大きな面積で体に接触するので、体の個々の部分に高圧をかけることなく、健康器具１のスリーブ１ａを体から所定の距離に置くことができる。図２の態様では、更に健康器具が空気透過流入部２１を有していても良く、それによりポンプにより吸い出された空気が流入することができる。
【００３７】
図２のケージの代わりに、体とスリーブ１ａとの間に、例えば、ベントラスの形で低圧チャンバー５用のキャリアーフレームを形成するように、スリーブ内に組み込まれたスペーサーを使用してもよい。ラス２２により、体の表面から離れてスリーブ１ａを配置でき、同時にそれを着た人は高い動きやすさを確保できる。この種のスリーブ内のキャリアーフレームを図３に示す。これは、本発明の健康器具１の第３の態様である。
【００３８】
図３の健康器具はスーツとして設計されているのではなく、腹部、腰及び臀部の回りにベルト又は帯のような方式で着けられる。図３の健康器具１は、基本的に１つの低圧チャンバーからなり、シール６によって頂部と底部が密閉されている。この例の低圧チャンバーは十分な気密スリーブを有するので、空気が低圧チャンバー内に流れ込むことはできない。簡単にするために、ポンプと低圧線は図３から除かれている。
【００３９】
図４は、本発明の健康器具の第４の態様を示し、ももに使用するためのもので帯のように形成されている。この形では、健康器具は特にももの脂肪、例えば、所謂、ジョッドバーズ（乗馬ズボン）ももの場合の脂肪を減少するために好適である。大きさによって、この態様の健康器具は、また二の腕の回りに着けることでそこの脂肪の減少にも用いることができる。
【００４０】
図４には、線１５ａ、１５ｂを持つポンプ手段１５が体に携行可能に設計されている。二次電池やバッテリーのようなエネルギー源がポンプ手段に組み込まれている。
【００４１】
図３及び４の態様は、この器具を身につけた人に動きの大きな自由度を与え、従って、特に運動効果を支えるために通常の運動に使用することができる。
【００４２】
本発明の健康器具の機能を説明する。
体型を作る健康器具の原理は、低圧を与えることでその場所の血液循環が増加するという事実に基づいている。血液循環の増加で新陳代謝が増大し、従って、そこの脂肪の燃焼が増加する。脂肪の燃焼の増加によって低圧で処理された部分の脂肪が目的どおりに減少する。
【００４３】
健康器具１に電源を繋ぐとポンプ１５が稼動する。ポンプの減圧入力１５ａが低圧チャンバー５から空気を吸引し、それにより低圧チャンバー内には低圧が発生する。
【００４４】
スペーサーが高圧チャンバー１２に設けられる場合、スペーサーは、ポンプの加圧出力１５ｂに接続され、ポンプによる注入で健康器具１のスリーブ１ａと体の表面との接触が防止される。また高圧チャンバー１２は独立したポンプにより供給されても良く、その場合には低圧チャンバー５と高圧チャンバー１２は各々独立のポンプにより供給される。
【００４５】
健康器具を着けてジョギングやサイクリングをできるように、ポンプ１５は、健康器具を着けた人の体に着けられるように設計されている。この目的のために、内部エネルギー供給（図示なし）を備えている。ポンプ１５は、更に低圧チャンバー及び／又は高圧チャンバー内に許容値に圧力を制御できる制御手段を備えており、これは手で制御することができる。
【図面の簡単な説明】
【図１】本発明の健康器具の第１の態様を示す図である。
【図２】本発明の健康器具の第２の態様を示す図である。
【図３】本発明の健康器具の第３の態様を示す図である。
【図４】本発明の健康器具の第４の態様を示す図である。
【符号の説明】
１  健康器具
１ａ  スリーブ
２、３、４、６  シール
５  低圧チャンバー
１０、１１  スペーサー
１２  高圧チャンバー
１３  加圧端子
１４  減圧端子
１５  ポンプ
１６  接続線
１７  高圧安全バルブ
１８  低圧安全バルブ
１９  放出部
２０  ケージ様スペーサー
２１  空気透過流入部
２２  ラス
【図１】
0003865633.tif 000002
【図２】
0003865633.tif 000003
【図３】
0003865633.tif 000004
【図４】
0003865633.tif 000005